(57)【要約】      （修正有）【課題】土盛体により切削されて元畦箇所に供給された畦塗り用の泥土を、回転しながら元畦に塗りつけて、元畦を修復するドラム状の整畦体を改良する。【解決手段】走行機体の後部に連結される機枠と、機枠に回転自在に設けられ、畦塗り用の泥土を切削して元畦箇所に供給する土盛体と、土盛体の後方に位置し、土盛体により供給された泥土を回転しながら元畦に塗りつけて元畦を修復する整畦体とを有する畦塗り機において、回転しながら畦を形成する整畦体が有し、その回転中心側から外周側へ向けて次第に幅が広くなる側縁を有する複数の整畦板１５ａからなる整畦ドラム１５を、外周が円形に近似した形状となるように複数の整畦板１５ａを周方向に等間隔に配設して構成する。隣接する整畦板１５ａ、１５ａの境界部分に重なり部分を設けることなく、隣接する整畦板１５ａ、１５ａを、上下間隔をおいて整畦板１５ａと一体的に形成される連結部材により連結する。【選択図】図５
2008212158.tif 000002
【特許請求の範囲】
【請求項１】
走行機体の後部に連結装置を介して着脱可能に連結される機枠と、この機枠に回転自在に設けられ、畦塗り用の泥土を切削して元畦箇所に供給する土盛体と、この土盛体の後方に位置して、前記土盛体により供給された泥土を回転しながら元畦に塗りつけて、元畦を修復する整畦体とを有する畦塗り機であって、
回転しながら畦を形成する上記整畦体は、その回転中心側から外周側へ向けて次第に幅が広くなる側縁を有する複数の整畦板からなる整畦ドラムを有し、この整畦ドラムは外周が円形に近似した形状となるように、上記複数の整畦板が周方向に等間隔に配設されて構成され、隣接する上記整畦板の境界部分に重なり部分が設けられることなく、隣接する上記整畦板が互いに所定の上下間隔をおいて整畦板と一体的に形成される連結部材により連結されていることを特徴とする畦塗り機。
【請求項２】
上記各整畦板の回転方向前方側に、上記所定の上下間隔を形成し、隣接する整畦板と連結されるための連結部位が前記隣接する整畦板側へ張り出して設けられ、この連結部位が前記連結部材となっていることを特徴とする請求項１記載の畦塗り機。
【請求項３】
上記複数の整畦板は、隣接する整畦板と１つの連結部材により連結されて整畦ドラムを形成していることを特徴とする請求項１又は２に記載の畦塗り機。
【発明の詳細な説明】
【技術分野】
【０００１】
本発明は、土盛体により切削されて元畦箇所に供給された畦塗り用の泥土を、回転しながら元畦に塗りつけて、元畦を修復するドラム状の整畦ドラムを有する整畦体を改良した畦塗り機に関する。
【背景技術】
【０００２】
従来、走行機体の後部に連結装置を介して着脱可能に連結される機枠と、この機枠に回転自在に設けられ、畦塗り用の泥土を切削して元畦箇所に供給する土盛体と、この土盛体の後方に位置して、前記土盛体により供給された泥土を回転しながら元畦に塗りつけて、元畦を修復するドラム状の整畦ドラムを有する整畦体とを備えた畦塗り機が周知である。そして、整畦ドラムの泥土を回転しながら元畦に塗りつけ回転しながら畦の内側面を修復する側面修復体に、放射状の複数の取付段部及び該取付段部に沿って複数の修復羽根を設けたものの他（特許文献１参照）、前記側面修復体を、隣接する複数の整畦板相互が逃げ角をもって側面視ジグザグ状に連結して形成したもの（特許文献２参照）が開示されている。
【０００３】
【特許文献１】特開平９−２３８５０３号公報
【特許文献２】特開平１０−２７６５０４号公報
【発明の開示】
【発明が解決しようとする課題】
【０００４】
上記従来の畦塗り機においては、整畦ドラムの側面修復体に、放射状の複数の取付段部及び該取付段部に沿って複数の修復羽根を設けたり、また、側面修復体を、隣接する複数の整畦板相互が逃げ角をもって側面視ジグザグ状に連結して形成しているので、整畦ドラムは、構造が複雑となり、製造コストが高くなる上、整畦作用にも改良すべき点があった。本発明は、上記の問題点を解決することを目的になされたものである。
【課題を解決するための手段】
【０００５】
上記の目的を達成するために本発明は、以下の構成を特徴としている。
Ａ．走行機体の後部に連結装置を介して着脱可能に連結される機枠と、この機枠に回転自在に設けられ、畦塗り用の泥土を切削して元畦箇所に供給する土盛体と、この土盛体の後方に位置して、前記土盛体により供給された泥土を回転しながら元畦に塗りつけて、元畦を修復する整畦体とを有する畦塗り機であって、
回転しながら畦を形成する上記整畦体は、その回転中心側から外周側へ向けて次第に幅が広くなる側縁を有する複数の整畦板からなる整畦ドラムを有し、この整畦ドラムは外周が円形に近似した形状となるように、上記複数の整畦板が周方向に等間隔に配設されて構成され、隣接する上記整畦板の境界部分に重なり部分が設けられることなく、隣接する上記整畦板が互いに所定の上下間隔をおいて整畦板と一体的に形成される連結部材により連結されていること。
【０００６】
Ｂ．上記各整畦板の回転方向前方側に、上記所定の上下間隔を形成し、隣接する整畦板と連結されるための連結部位が前記隣接する整畦板側へ張り出して設けられ、この連結部位が前記連結部材となっていること。
Ｃ．上記複数の整畦板は、隣接する整畦板と１つの連結部材により連結されて整畦ドラムを形成していること。
【０００７】
上記Ａ．Ｂ．の構成により本発明の畦塗り機における整畦体は以下の作用を有する。
(1)  整畦体が、その回転中心側から外周側へ向けて次第に幅が広くなる側縁を有する複数の整畦板からなる整畦ドラムを有し、この整畦ドラムは外周が円形に近似した形状となるように、複数の整畦板が周方向に等間隔に配設されて構成され、隣接する整畦板の境界部分に重なり部分が設けられることなく、隣接する整畦板が互いに所定の上下間隔をおいて整畦板と一体的に形成される連結部材により連結されていることで、整畦ドラムの構造が簡単で製造が容易であり、製造コストを安くすることができる。土盛体により供給された泥土を、回転しながら各上下間隔により間欠的に叩打し、泥土を固めながら元畦に塗りつけ、従来の整畦ドラムに比べ良好な畦を形成する。
(2)  各整畦板の回転方向前方側に、所定の上下間隔を形成し、隣接する整畦板と連結されるための連結部位が設けられていることで、周方向に所定の間隔で所定の上下間隔を有する整畦ドラムを容易に製造することができ、しかも整畦板の重なり部分及び連結部位により泥土が整畦ドラムの内面側に侵入するのを少なくする。
(3)  複数の整畦板が、隣接する整畦板と１つの連結部材により連結されて整畦ドラムを形成していることで、整畦ドラムの製造が簡単になる。
【発明の効果】
【０００８】
以上説明したように本発明の畦塗り機の整畦ドラムによれば、請求項１の構成により以下の作用効果を奏することができる。
【０００９】
整畦体は、その回転中心側から外周側へ向けて次第に幅が広くなる側縁を有する複数の整畦板からなる整畦ドラムを有し、この整畦ドラムは外周が円形に近似した形状となるように、複数の整畦板が周方向に等間隔に配設されて構成され、隣接する整畦板の境界部分に重なり部分が設けられることなく、隣接する上記整畦板が互いに所定の上下間隔をおいて整畦板と一体的に形成される連結部材により連結されているため、構造が簡単で製造が容易であり、製造コストを安くすることができる。
また整畦ドラムは、土盛体により供給された泥土を、回転しながら各上下間隔により間欠的に叩打し、泥土を固めながら元畦に塗りつけ、従来の整畦ドラムに比べ良好な畦を形成することができる。特に、土盛体により供給される泥土の土質が悪い場合や含水率が適当でない場合でも、良好な畦を形成することができる。
【発明を実施するための最良の形態】
【００１０】
以下、本発明の実施の形態を添付の図面を参照して具体的に説明する。図１は本発明による畦塗り機の一例を示す側面図、図２は同平面図、図３は同背面図である。図１〜図３において、畦塗り機１は、左右一対のヒッチフレーム１１に設けられたトップマスト２及び左右一対のロアリンク連結部３を有し、図示しないトラクタの後部に設けられたトップリンク及び左右一対のロアリンクにより昇降可能に連結される。
上記左右一対のヒッチフレーム１１の基端部は、水平方向の連結軸１３を介して左右一対の支持フレーム７の先端部に、上下回動可能に連結されている。前記左右一対の支持フレーム７の後端部には、機枠４の基端部が回転軸１４を中心に左右回動（昇降）可能に支持されている。土盛体５及びその後方に設けられる整畦体６は、機枠４により連結され配設されており、機枠４を介して土盛体５及び整畦体６を作業位置と非作業位置とに回動するようにしている。
【００１１】
機枠４は伝動ケースを兼ねており、内部に動力伝達機構（図示せず）を有し、機枠４の先端部には、土盛体５に動力伝達するための出力軸を内装した伝動ケース８を前方に向け一体的に設けると共に、整畦体６を駆動するための動力伝達機構を内装した伝動ケース９及び減速機構を内装したデフケース１０を後方に向け一体的に設けている。これにより、回転軸１４から動力が機枠４を通って伝動ケース８，９及びデフケース１０に伝達され、土盛体５及び整畦体６をそれぞれ駆動する。
【００１２】
上述したように、本発明の畦塗り機は、ヒッチフレーム１１の両先端部にトップマスト２が取付けられ、トラクタに設けられたトップリンクに連結ピンを介して上下回動可能に枢支される。また、ヒッチフレーム１１の両基端側に前記ロアリンク連結部３が取付けられ、トラクタに設けられた左右一対のロアリンクに連結ピンを介して上下回動可能に枢支される。そして、トラクタのロアリンクをロアリンク連結部３に連結して畦塗り機１を揚上させたとき、ヒッチフレーム１１と機枠４の基端部との間の連結軸１３を中心として機枠４、土盛体５、整畦ドラム６等は上下に回動可能となり、畦塗り機１を非作業位置に回動した状態で後述する作業部回動装置１９によりトラクタの後部に接近するのを防止することができる。
【００１３】
上記構成の本発明畦塗り機は、トラクタのＰＴＯ軸から動力を受けて土盛体５及びドラム状の整畦体６を回転駆動し、圃場において土盛体５により畦塗り用の泥土を切削して元畦箇所に供給し、該土盛体５により供給された泥土を整畦体６により元畦に塗りつけて元畦を修復する整畦作業を行うものである。
上記ヒッチフレーム１１，１１間には、前後方向に入力軸１２が軸支されている。この入力軸１２の先端部には、トラクタのＰＴＯ軸から図示しないユニバーサルジョイント、伝動軸等を介して動力が伝達される。入力軸１２の後方に位置する上記機枠４の基端部には、該基端部の垂直面内での回転中心となる回転軸１４が前後方向に軸支され、この回転軸１４の先端部と入力軸１２の後端部との間を図示しないユニバーサルジョイントにより連結し、このユニバーサルジョイントの位置（略連結軸１３の位置）で上下回動可能となっている。
【００１４】
回転軸１４には、入力軸１２から回転軸１４に伝達される回転動力を接，断するクラッチ（図示せず）が設けられている。このクラッチは、機枠４を介して土盛体５及び整畦体６を作業位置に回動したとき接続され、土盛体５及び整畦体６を非作業位置に回動したとき断たれるように作動する。また、このクラッチは、機枠４の基端部（回転軸１４）を中心に土盛体５及び整畦体６を作業位置と非作業位置に回動させたとき、作業位置では動力が接続状態となり、非作業位置では動力が断たれる状態になるように、土盛体５、整畦体６を作業位置と非作業位置に回動させる回動動作と連動して自動的に切換えられる。
【００１５】
土盛体５は、図示しないが、ロータリ軸の軸周に複数本の切削爪と土寄せ板を放射方向に装着すると共に、上側をカバーにより覆い、元畦の一部及び圃場の土壌を切削して元畦に対して畦状に盛り上げる周知のロータリ切削装置からなるものである。
【００１６】
整畦体６は、偏心回転しながら畦を形成する整畦ドラム１５の側面修復体部分を、回転中心側から外周側に向けて次第に幅が広がる側縁を有する複数の整畦板１５ａを周方向に等間隔に配設し、各整畦板１５ａの境界部分には重なり部分を設けることなく、隣接する整畦板が所定の上下間隔を設けて連結部材により連結して形成した構造のものである。
【００１７】
整畦ドラム１５の回転中心には、元畦の上面を水平状に修復する円筒形状の上面修復体１６が設けられ、この上面修復体１６を中心に各整畦板１５ａが元畦の下方に向かって拡開し、元畦をテーパ状に修復するほぼ円錐形状の側面修復体を形成している。上面修復体１６は、外側に向け延長部が取付け可能である。各整畦板１５ａは、回転軸（上面修復体１６の回転中心）に対し傾斜した状態に固定され、また、各整畦板１５ａは、それぞれ上下に垂直段部を有して連結片１５ｃ，１５ｃにより固着されている。各整畦板１５ａにより形成される側面修復体及び上面修復体１６の上方は、カバーにより覆われている。
【００１８】
上記土盛体５の上側には、土盛量調節装置１７が設けられている。また、整畦ドラム１５の上側には、機枠４を介して土盛体５及び整畦体６を作業位置と非作業位置とに回動する際に用いる回動用取っ手１８が設けられている。前記ヒッチフレーム１１と機枠４との間には、畦塗り機１を機枠４の基端部を中心に回動させて機枠４を介して土盛体５及び整畦体６を作業位置と非作業位置に回動させる際、その回動作動により土盛体５及び整畦体６の前後姿勢を調節可能とした回転ハンドル２０を備えた作業部回動装置１９が平面視で前後斜め方向に設けられている。機枠４には、接地輪（コールタ）２１が上下調節装置２１ａを介して設けられている。
【００１９】
そして、作業者が回動用取っ手１８を持って左右方向に回動させることで、機枠４を介して土盛体５及び整畦体６が機枠４の基端部を中心に回動し、土盛体５及び整畦体６を非作業位置あるいは作業位置のいずれかに移動させる。上記機枠４の基端部の外周部には、土盛体５及び整畦体６を作業位置あるいは非作業位置に回動させたとき、それぞれの位置にロックする回動ロック装置４ａが設けられている。
【００２０】
ヒッチフレーム１１と機枠４の先端部との間には、土盛体５及び整畦体６を機枠４の基端部を中心に回動させて、土盛体５及び整畦体６を作業位置あるいは非作業位置に移動させる際に、補助的働きをするガススプリング２２が介装されている。このガススプリング２２は、機枠４を介して土盛体５及び整畦体６を作業位置から非作業位置に、あるいは非作業位置から作業位置に回動させるとき、土盛体５及び整畦体６を持ち上げるときは軽い力で揚上でき、土盛体５及び整畦体６を下降させるときはその自重により急激に降下しないように弾発作用をする。畦塗り機１には、トラクタに着脱するとき、あるいは移動させたり、収納したりする際に用いるスタンド２３が着脱可能に設けられている。
【００２１】
このような構成の畦塗り機１においては、トラクタの後部のトップリンクにトップマスト２を、ロアリンクにロアリンク連結部３をそれぞれ連結して、３点リンクにより昇降可能に連結する。トラクタのＰＴＯ軸からユニバーサルジョイント、伝動軸を介して入力軸１２に動力が伝達される。畦塗り機１が整畦作業を行うときは、土盛体５及び整畦体６を、機枠４の基端部を中心に回動させて非作業位置から作業位置に移動させる。この回動動作は、まずロック装置４ａのロックを解除し、作業者が回動用取っ手１８を持って回動することにより行われる。このとき、ガススプリング２２は、土盛体５、整畦体６を軽く持ち上げ、急激に降下しないように弾発作用する。土盛体５、整畦体６が作業位置に達すると回動ロック装置４ａは自動的にロックされる。
【００２２】
土盛体５、整畦体６が作業状態に回動する動作と連動して回転軸１４のクラッチが自動的に接続状態となる。そして、入力軸１２に受けた動力は、ユニバーサルジョイントを介して回転軸１４に伝達され、回転軸１４から機枠４を通って伝動ケース８，９及びデフケース１０に伝達され、土盛体５及び整畦体６をそれぞれ駆動する。そして、トラクタ２の走行と共に、土盛体５及び整畦体６により整畦作業が行われる。土盛体５及び整畦体６の作用深さを調節するときは、トラクタのロアリンクにより畦塗り機１の支持高さを変えることによって行うことができるが、基本的には接地輪２１を上下調節装置２１ａにより上下移動調節することにより行われる。また、回転ハンドル２０により作業部回動装置１９の前後長さを調節することにより、トラクタに対する畦塗り機１の前後作業姿勢を調節する。
【００２３】
土盛体５では切削爪と土寄せ板により元畦の一部及び圃場の土壌を切削して元畦側に対して畦状に盛り上げ、その盛り上げた土壌を整畦体６の整畦ドラム１５（あるいは２４）の整畦面が偏心回転して畦法面を叩いて目的とする畦に成形する。また、水平円筒体１６により、整畦ドラムによって成形された畦の頂部を平らに成形する。
【００２４】
畦塗り機１が作業を行わずにトラクタに連結されて路上走行するときは、土盛体５及び整畦体６を、回動用取っ手１８により機枠４の基端部を中心に回動させて非作業位置に移動させる。この回動動作は、まずロック装置４ａのロックを解除し、作業者が回動用取っ手１８を持って上方へ回転することにより行われる。このとき、ガススプリング２２は、土盛体５、整畦体６を軽い力で持ち上げて回動し、急激に降下しないように弾発作用する。土盛体５、整畦体６が非作業位置に達すると、回動ロック装置４ａにより自動的にロックされ、回転軸１４のクラッチが自動的に断状態となる。
（実施例）
【００２５】
図４乃至図６は、本発明畦塗り機の第１実施例に係る整畦ドラム１５の構成説明図であり、図４は平面図、図５は側面図、図６は部分拡大断面図である。第１実施例の整畦ドラム１５において、偏心回転しながら畦を形成する整畦ドラム１５の側面修復体部分は、平面視で回転中心から先端側に向けて内端側の幅が狭く、外端側の幅が次第に広くなる直線状の側縁を有する複数（本実施例では８枚）の整畦板１５ａが、その回転方向に後退角を有し、隣接する整畦板１５ａ、１５ａ間に重なり部分がないように、周方向に等間隔に配設されることにより構成される。
【００２６】
隣接する整畦板１５ａ、１５ａは回転方向後ろ側の整畦板１５ａにおける回転方向前方側の側縁に設けた２つの連結片１５ｃ，１５ｃからなる連結部材としての連結部位により、所定の上下間隔（垂直段部）ｈを設けて固着して連結される。
すなわち、本実施例においては、各整畦板１５ａにおける回転方向前方側の側縁に設けた２つの連結片１５ｃからなる連結部位が、連結部材を構成するとともに、上下間隔ｈを構成する部材となる。なお、本発明において、連結片の数が二つに限定されるものでないことはいうまでもない。また、各整畦板１５ａの外周縁は、等間隔に配設されたときに一つの円となるような円弧状に形成されており、その回転方向前側は直線状の切り欠きを設けてある。これによって、整畦ドラムの外周は略円形に形成される。
【００２７】
上記第１実施例においては、整畦ドラム１５が、回転中心の取付け基部に、平面視で内端側の幅が狭く、外端側の幅が次第に広くなる複数枚の整畦板１５ａを、隣接する整畦板１５ａが相互に所定の重なり部分を有しないように取付け、その部分に所定の上下間隔（垂直段部）ｈを設けて固着し形成したが、上下間隔（垂直段部）ｈを一定間隔ではなく、内端側が狭く、外端側が広くなるような垂直段部を形成して固着しても良い。
【図面の簡単な説明】
【００２８】
【図１】本発明による畦塗り機の側面図である。
【図２】同平面図である。
【図３】同背面図である。
【図４】整畦体の第１実施例の平面図である。
【図５】整畦体の第１実施例の側面図である。
【図６】整畦体の部分拡大断面図である。
【符号の説明】
【００２９】
１  畦塗り機
２  トップマスト
３  ロアリンク連結部
４  機枠  ４ａ  ロック装置
５  土盛体
６  整畦体
７  支持フレーム
８，９  伝動ケース
１０  デフケース
１１  ヒッチフレーム
１２  入力軸
１３  連結軸
１４  回転軸
１５  第１実施例の整畦ドラム    １５ａ  整畦板    
１５ｃ  連結片
１６  上面修復体
１７  土盛量調節装置
１８  回動用取っ手
１９  作業部回動装置
２０  回転ハンドル
２１  接地輪（コールタ）    ２１ａ  上下調節装置
２２  ガススプリング
２３  スタンド
ｈ  上下間隙（垂直段部）
【図１】
2008212158.tif 000003
【図２】
2008212158.tif 000004
【図３】
2008212158.tif 000005
【図４】
2008212158.tif 000006
【図５】
2008212158.tif 000007
【図６】
2008212158.tif 000008